(57)【要約】【課題】  ケースに対する摺動性を良好にしながら、使用する成形樹脂材の選択の幅を広くでき、デザインの自由度を高めることができる電子部品の操作つまみを提供する。【解決手段】  電子部品の成形樹脂製のケース３０にスライド移動自在に取り付けられる成形樹脂製の操作つまみ１０を、成形や塗装が容易でデザインの自由度が高いＡＢＳ樹脂材からなる本体部１１と、ＡＢＳ樹脂材よりも摩擦係数が小さいＰＯＭ樹脂材からなるスペーサ部材２１とで構成し、スペーサ部材２１を本体部１１の下面に一体に取り付けて、操作つまみ１０がスライド移動する際に、このスペーサ部材２１がＡＢＳ樹脂製のケース３０と摺接することで、操作つまみ１０が滑らかに動くように構成した。【選択図】図１
2007088119.tif 000002
【特許請求の範囲】
【請求項１】
電子部品の成形樹脂製のケースにスライド移動自在に取り付けられる成形樹脂製の操作つまみであって、
前記操作つまみは、互いに異なる種類の成形樹脂材からなる本体部とスペーサ部材とを備え、前記スペーサ部材は、前記本体部に一体に取り付けられて前記ケースに摺接するように設置されていることを特徴とする電子部品の操作つまみ。
【請求項２】
請求項１に記載の電子部品の操作つまみにおいて、
前記スペーサ部材の成型樹脂材は、前記ケースに対する摩擦係数が前記本体部の成形樹脂材の前記ケースに対する摩擦係数より小なる特性を有することを特徴とする電子部品の操作つまみ。
【請求項３】
請求項２に記載の電子部品の操作つまみにおいて、
前記スペーサ部材は、ポリオキシメチレン（ＰＯＭ）樹脂材からなることを特徴とする電子部品の操作つまみ。
【請求項４】
請求項１乃至３のいずれか１項に記載の電子部品の操作つまみにおいて、
前記スペーサ部材には、前記ケースに設けた操作つまみを収納する収納溝内のスライド方向に向かう側面に当接して前記操作つまみのスライド方向以外の方向への移動を規制する移動規制部が設けられていることを特徴とする電子部品の操作つまみ。
【発明の詳細な説明】
【技術分野】
【０００１】
本発明は、各種電子部品、特にスライド式スイッチやスライド式可変抵抗器等のスライド式電子部品の外装ケースにスライド移動自在に取り付けられる操作つまみに関するものである。
【背景技術】
【０００２】
従来、スライド式スイッチやスライド式可変抵抗器等のスライド式電子部品は、例えば特許文献１に示すように、摺動子を取り付けた摺動型物をスライド移動自在に設置すると共に、摺動子を摺接させるパターンを形成した回路基板を摺動型物の下側に設置して、これら摺動子とパターンで電気的機能部を構成している。そして、この電気的機能部を収納する電子部品の成形樹脂製の外装ケース（以下「ケース」という）上に、成形樹脂製の操作つまみをスライド移動自在に取り付けて、この操作つまみをケースを介して摺動型物に一体に取り付けて構成されている。このスライド式電子部品は、操作つまみをスライド移動させると、摺動子がパターン上を摺接して電気的機能部の電気的出力が変化するようになっている。
【特許文献１】特開２００３−１７８９０４号公報
【発明の開示】
【発明が解決しようとする課題】
【０００３】
ところで、この種のスライド式電子部品では、外観を良くするため、操作つまみやケースを、デザインの自由度が高く且つ耐久性に優れた成形樹脂材で構成する必要がある。このような成形樹脂材の例としてＡＢＳ樹脂材がある。ＡＢＳ樹脂材は成形性に優れ塗装が容易であり、且つ成形後には高い表面硬度を有して傷が付きにくいことから、電子機器の外装部品の材料として広く用いられている。しかしながら、ＡＢＳ樹脂材は相対的に摩擦係数が高いので、操作つまみをＡＢＳ樹脂製にした場合、ケースも同じＡＢＳ樹脂製にすると、操作つまみとケースの摺動性が悪くなってしまう。このように、操作つまみやケースのデザイン性を重視して成形樹脂材を選択すると、操作つまみの滑らかな動きが確保できなくなる場合がある。
【０００４】
本発明は上述の点に鑑みてなされたものでありその目的は、ケースに対する摺動性を良好にしながら、使用する成形樹脂材の選択の幅を広くでき、デザインの自由度を高めることができる電子部品の操作つまみを提供することにある。
【課題を解決するための手段】
【０００５】
上記課題を解決するため本願の請求項１に記載の発明は、電子部品の成形樹脂製のケースにスライド移動自在に取り付けられる成形樹脂製の操作つまみであって、前記操作つまみは、互いに異なる種類の成形樹脂材からなる本体部とスペーサ部材とを備え、前記スペーサ部材は、前記本体部に一体に取り付けられて前記ケースに摺接するように設置されていることを特徴とする。
【０００６】
本願の請求項２に記載の発明は、請求項１に記載の電子部品の操作つまみにおいて、前記スペーサ部材の成型樹脂材は、前記ケースに対する摩擦係数が前記本体部の成形樹脂材の前記ケースに対する摩擦係数より小なる特性を有することを特徴とする。
【０００７】
本願の請求項３に記載の発明は、請求項２に記載の電子部品の操作つまみにおいて、前記スペーサ部材は、ポリオキシメチレン（ＰＯＭ）樹脂材からなることを特徴とする。ここでは、電子部品のケースと操作つまみの本体部とをいずれも成形や塗装が容易な成形樹脂材であるＡＢＳ樹脂材で構成する一方で、スペーサ部材を、本体部がケースに直接摺接する場合よりもケースに対する摩擦係数が小さいポリオキシメチレン（ＰＯＭ）樹脂材で構成することが望ましい。
【０００８】
本願の請求項４に記載の発明は、請求項１乃至３のいずれか１項に記載の電子部品の操作つまみにおいて、前記スペーサ部材には、前記ケースに設けた操作つまみを収納する収納溝内のスライド方向に向かう側面に当接して前記操作つまみのスライド方向以外の方向への移動を規制する移動規制部が設けられていることを特徴とする。
【発明の効果】
【０００９】
本願の請求項１，２に記載の発明によれば、電子部品の操作つまみにおいて、本体部と異なる種類の成形樹脂材からなるスペーサ部材が本体部に一体に取り付けられてケースに摺接するように設置されているので、本体部を成形や塗装が容易な種類の成形樹脂材で構成した場合でも、スペーサ部材をケースに対する摺動性が良好な種類の成形樹脂材で構成することで、操作つまみとケースの摺動性を良好にできる。これにより、例えば操作つまみの本体部とケースをいずれも成形や塗装が容易な合成樹脂材で構成することで、これら操作つまみとケースのデザインを良好にしながら、スペーサ部材を本体部の成形樹脂材よりもケースに対する摩擦係数が小さい成形樹脂材で構成して、操作つまみの滑らかな動作を確保することが可能となる。
【００１０】
本願の請求項３に記載の発明によれば、操作つまみとケースの外観を良好にしながら、操作つまみのケースに対する摺動性を良くして操作つまみのスムーズな動作を実現できる。特に、電子部品のケースと操作つまみの本体部とを共にＡＢＳ樹脂材で構成した場合でも、スペーサ部材にポリオキシメチレン（ＰＯＭ）樹脂材を用いることで、操作つまみのケースに対する摩擦力を小さくできるので、その摺動性を良好にできる。
【００１１】
本願の請求項４に記載の発明によれば、操作つまみやそれに取り付ける摺動型物等のガタつきをなくすことができるので、これらのスムーズな動作を実現できると共に、電子部品を振動させた際の接触音の発生を防止できる。
【発明を実施するための最良の形態】
【００１２】
以下、本発明の実施形態を図面に基づいて詳細に説明する。図１及び図２は、本発明の一実施形態にかかる操作つまみを備えたスライド式電子部品（以下、本実施形態では「スライド式スイッチ」という）の分解斜視図で、図１はその上側部分、図２はその下側部分の構成部品を示す図である。このスライド式スイッチは、図１に示すケース３０に取り付けた操作つまみ１０を備えてなるスイッチ操作部１と、図２に示す下ケース４０と、摺動型物５０と、摺動子６０と、フレキシブル回路基板７０と、取付部材８０とを備えてなるスイッチ機能部２とで構成されている。以下、各構成部品について説明する。なお以下の説明では、このスライド式スイッチにおいて、操作つまみ１０と摺動型物５０が一体にスライド移動する方向（図１、図２の矢印で示す方向）を、スライド方向と呼ぶ。
【００１３】
操作つまみ１０は、互いに異なる種類の成形樹脂材からなる成型品である本体部１１とスペーサ部材２１とを備え、本体部１１の下面にスペーサ部材２１を一体に取り付けて構成されている。本実施形態では本体部１１はＡＢＳ樹脂製で、スペーサ部材２１はポリオキシメチレン（ポリアセタール）樹脂（以下、「ＰＯＭ樹脂」という）製である。ここで、ＡＢＳ樹脂材は、上記したように成形性に優れ塗装が容易であり、且つ成形後には高い表面硬度を有して傷が付きにくいという利点があるが、その反面、摺動性はあまり良くない樹脂材であり、ＰＯＭ樹脂材は、成形性や外観はＡＢＳ樹脂材よりも劣るが、摩擦抵抗が小さく摺動性に優れる樹脂材である。
【００１４】
本体部１１は、外形が略長方形の平板状に形成され、その上面には指などで操作する突起状の操作部１２が形成され、その下面には下方に向かって突出する二個の突起状の固定部１３が設けられている。図３は、スペーサ部材２１をその下面側から見た斜視図である。同図および図１に示すように、スペーサ部材２１は、本体部１１の外形と略同一形状である略長方形の板状に形成され、その下面２１ｃがケース３０の下記する収納溝３３の底面３３ａに摺接する摺接面になっている。また、本体部１１の固定部１３に対応する位置には貫通穴からなる取付固定部２２が設けられ、この取付固定部２２の下面外周には凹部２２ａが形成されている。
【００１５】
また、このスペーサ部材２１のスライド方向に向かう両側面２１ａ，２１ｂには、これら両側面２１ａ，２１ｂからそれぞれスライド方向と略直交する方向の両外側に向かって突出する舌片状の移動規制部２３ａ，２３ｂが各二個ずつ設けられている。さらに両側面２１ａ，２１ｂの移動規制部２３ａ，２３ｂの間には、矩形状に切り込まれた切込部２４ａ，２４ｂが形成されており、この切込部２４ａ，２４ｂの側面から下方に向かって係合爪２５ａ，２５ｂが突出して形成されている。互いに同形状の係合爪２５ａ，２５ｂは、図３に示すように、切込部２４ａ，２４ｂの側面から下方に向かって突出する可撓性を有する薄板状の基部２６ａ，２６ｂと、この基部２６ａ，２６ｂの先端部（下端部）２８ａ，２８ｂより少し上の外側の面（スライド方向に直交する両外側の面）に設けた外側に向かって突出する係合用突起２７ａ，２７ｂとを備えた形状に形成されている。係合用突起２７ａ，２７ｂは、その上面が略水平な平面状に形成され、その下面がスペーサ部材２１の両外側（スライド方向に直交する両外側）に向かってそれぞれ上昇する傾斜面状に形成されている。
【００１６】
ケース３０は、スライド式スイッチを組み付ける例えばデジタルカメラなどの各種電子機器の成形樹脂製の外装ケースであり、本実施形態ではこのケース３０は、操作つまみ１０の本体部１１と同じＡＢＳ樹脂製である。なお各図においては、ケース３０は、操作つまみ１０を取り付ける部分及びその周囲のみを図示している。ケース３０は、略平板状で、操作つまみ１０の係合爪２５ａ，２５ｂを挿通させる貫通穴３１ａ，３１ｂが形成されている。貫通穴３１ａ，３１ｂは、互いに同形のスライド方向を長手方向とする長方形状で、これら２個の貫通穴３１ａ，３１ｂはスライド方向に直交する方向に沿って所定間隔で並べて設けられている。一方、ケース３０上面の貫通穴３１ａ,３１ｂの周囲には、操作つまみ１０のスペーサ部材２１をスライド移動自在に収納する収納溝３３が形成されている。この収納溝３３は、所定深さに形成されたスライド方向を長手方向とする長方形状の溝で、そのスライド方向に向かう両側面３４ａ，３４ｂの間の幅寸法Ｄが、操作つまみ１０の移動規制部２３ａ，２３ｂの先端間の幅寸法Ｄ´と略同一かそれよりもわずかに大きい寸法に形成されている。
【００１７】
次に、図２に示す下ケース４０は、金属製の板材などで構成され、スライド方向を長手方向とする略長方形の平板状に形成された上面部４１と、上面部４１の四辺に連接し下方に向かって略直角に折り曲げられた側壁４２ａ〜４２ｄとを備えて箱型に形成され、側壁４２ａ〜４２ｄで囲まれた下面に開口する凹状の収納部４３を設けている。また、スライド方向に向かう両側壁４２ａ，４２ｂの下端には、下方に向かって伸びる細片状の固定部４４ａ，４４ｂがそれぞれ二個ずつ形成されている。さらに側壁４２ａの固定部４４ａの間には、側壁４２ａの下端を矩形状に切り欠いてなる切欠部４５が設けられている。一方、上面部４１の側壁４２ｂの近傍位置には、スライド方向を長手方向とする略長方形状の貫通穴である開口部４６が設けられている。また、上面部４１の開口部４６と側壁４２ａとの間には、それぞれ上面部４１の途中から切り欠かれて、スライド方向に沿って両側壁４２ｃ，４２ｄの上端まで達し、さらにそこから下方向に向かい両側壁４２ｃ，４２ｄの途中まで連続する切り欠きとして形成された切欠部４７ｃ，４７ｄが設けられている。両切欠部４７ｃ，４７ｄ内には、切欠部４７ｃ，４７ｄのスライド方向に直交する方向に向かう両側面の間に掛け渡された帯状の当接用突起部４８ｃ，４８ｄが形成されている。この当接用突起部４８ｃ，４８ｄは、その途中が下方に向かって折り返されて収納部４３内に突出しており、この折り返された部分の相互に対向する側面が、下記するコイルスプリング５５の両端部５５ｃ，５５ｄに当接する当接部４９ｃ，４９ｄになっている。
【００１８】
摺動型物５０は、スライド方向に向かう長手方向の側面５１ａ，５１ｂとスライド方向に直交する方向に向かう短手方向の側面５１ｃ，５１ｄを備える略長方形状で、所定の厚さ寸法を有する平板状に形成された成形樹脂の成型品である。そしてその両側面５１ａ，５１ｂ間の幅寸法が、下ケース４０の両側壁４２ａ，４２ｂの内面間の幅寸法よりも若干小さく形成されていて、摺動型物５０が収納部４３内で側壁４２ａ，４２ｂにガイドされてスライド方向に移動自在となるように形成されている。また、側面５１ａ，５１ｂの下端には、それぞれ下方に突出してスライド方向に向かって形成された突起状の案内部５２ａ，５２ｂが設けられている。一方、上面の側面５１ｂに近い位置には、略矩形状の所定深さの凹部からなる被係合部５３が設けられている。この被係合部５３のスライド方向の幅寸法Ｌは、操作つまみ１０の係合爪２５ｂのスライド方向の幅寸法Ｌ´（図３参照）と略同一の寸法に形成されている。また摺動型物５０の上面の被係合部５３と側面５１ａとの間には、スライド方向を長手方向とする長方形状の凹部であるコイルスプリング収納部５４が設けられている。このコイルスプリング収納部５４に収納されるコイルスプリング５５は、弾性金属製の線材をコイル状に巻回して構成されたもので、その軸方向（コイル軸方向）に圧縮されることで弾発力（弾性復帰力）を生じるバネ材である。そしてコイルスプリング収納部５４は、コイルスプリング５５を収納可能な深さを有し、その底面が略円筒形状に形成されると共に、スライド方向の両端部には、これを塞ぐ板状の係止部５６ｃ，５６ｄが設けられている。さらにこの係止部５６ｃ，５６ｄには、その上端から下端まで直線状に切り込まれた切込部５７ｃ，５７ｄが設けられている。切込部５７ｃ，５７ｄの幅寸法は、下ケース４０の当接部４９ｃ，４９ｄの幅寸法よりも若干大きな寸法に形成されている。
【００１９】
一方、摺動型物５０の側面５１ａには、水平方向外側に向かって突出する略平板状の突出部５８が設けられ、この突出部５８の上面には、スライド方向に沿って所定間隔で並べて設けられた二個の突起５８ｃ，５８ｄの間に形成された溝状の被係合部５９が設けられている。この被係合部５９のスライド方向の幅寸法（突起５８ｃ，５８ｄの側面間の幅寸法）Ｌは、操作つまみ１０の係合爪２５ａのスライド方向の幅寸法Ｌ´と略同一の寸法に形成されている。そして被係合部５３と被係合部５９とは、スライド方向における同一の位置に設けられており、スライド式スイッチを組み立てた際に、被係合部５３に係合爪２５ａの先端部２８ａが係合し、被係合部５９に係合爪２５ｂの先端部２８ｂが係合するように形成されている。一方、摺動型物５０の下面の所定位置には、摺動子６０を取り付ける突起状の固定部６５が設けられている。
【００２０】
摺動子６０は、導電性を有する弾性金属板によって構成され、平板状の基部６１の一端から二本の摺動冊子６２を突出し、これらを基部６１の下側に折り曲げて形成されている。基部６１には貫通穴からなる取付固定部６３が設けられている。
【００２１】
フレキシブル回路基板７０は、可撓性を有する合成樹脂フイルム（ポリエチレンテレフタレートフイルム〔ＰＥＴフイルム〕等）製で、摺動子６０の摺動冊子６２が摺接する位置には、導電塗料を印刷形成してなる摺接パターン（以下、本実施形態では「スイッチパターン」という）７１が形成されていて、これがフレキシブル回路基板７０の表面に形成された図示しない回路パターンに接続されている。一方、下ケース４０の各固定部４４ａ，４４ｂに対応する位置には、矩形状の貫通穴からなる取付固定部７２が形成されている。なお図２では、フレキシブル回路基板７０は、その一部のみを図示している。
【００２２】
取付部材８０は、金属製あるいは成形樹脂製などの硬質板であり、フレキシブル回路基板７０の取付固定部７２に対応する位置に、取付固定部７２と同形状の矩形状の貫通穴からなる取付固定部８２を設けて構成されている。なお図２では、取付部材８０は、その一部のみを図示している。
【００２３】
次に、スライド式スイッチの組み立て手順を説明する。まず、スイッチ操作部１を組み立てる手順を説明すると、本体部１１の下面にスペーサ部材２１を取り付けて操作つまみ１０を組み立てる。その際、本体部１１の固定部１３をスペーサ部材２１の取付固定部２２に挿通させて、スペーサ部材２１の下面側に突出した固定部１３の先端を熱カシメして固定する。ここでは、熱カシメした固定部１３の先端は、凹部２２ａ内に収まるためスペーサ部材２１の下面から突出しない。次に、この組み立てた操作つまみ１０をケース３０に取り付ける。このとき、各移動規制部２３ａ，２３ｂの先端を収納溝３３の側面３４ａ，３４ｂに当接させると共に、操作つまみ１０の係合爪２５ａ，２５ｂを貫通穴３１ａ，３１ｂに挿入する。そして、係合爪２５ａ，２５ｂを貫通穴３１ａ，３１ｂにさらに挿入していくと、係合爪２５ａ，２５ｂの係合用突起２７ａ，２７ｂの下面に、貫通穴３１ａ，３１ｂの外側の側面３２ａ，３２ｂの上端部がそれぞれ当接することで、両係合爪２５ａ，２５ｂが操作つまみ１０の内側方向に向かって押されて両基部２６ａ，２６ｂが撓み、係合用突起２７ａ，２７ｂが側面３２ａ，３２ｂを乗り越えて側面３２ａ，３２ｂの下端部（ケース３０下面の貫通穴３１ａ，３１ｂの外周）にスナップイン係合する。これにより、スペーサ部材２１の下面２１ｃがケース３０の収納溝３３の底面３３ａに当接した状態で操作つまみ１０が収納溝３３内に配置される。以上によりスイッチ操作部１の組み立てが完了する。
【００２４】
図４は、ケース３０に操作つまみ１０を取り付けてなるスイッチ操作部１を、その下面側から見た斜視図である。同図に示すように、係合爪２５ａ，２５ｂが貫通穴３１ａ，３１ｂを貫通してケース３０の下面にスナップイン係合していることで、操作つまみ１０がケース３０に対してスライド方向に沿ってスライド移動自在となるように取り付けられている。またこのとき、係合爪２５ａ，２５ｂの先端部２８ａ，２８ｂが、貫通穴３１ａ，３１ｂからケース３０の下面に突出した状態になっている。そして、図１に示すスペーサ部材２１は、その上に本体部１１が取り付けられた状態でケース３０の収納溝３３内に配置されるので側面以外の部分が隠れた状態になっており、操作つまみ１０は、その本体部１１が外から見える状態になっている。
【００２５】
次に、スイッチ機能部２を組み立てる手順を説明する。まず、摺動型物５０のコイルスプリング収納部５４にコイルスプリング５５を収納する。この際、コイルスプリング５５を圧縮した状態で収納することで、コイルスプリング５５の両端部５５ｃ，５５ｄを係止部５６ｃ，５６ｄに弾接させた状態にする。一方で、摺動型物５０の下面に摺動子６０を取り付ける。このとき、固定部６５を摺動子６０の取付固定部６３に挿通させて基部６１の下面側に突出した固定部６５の先端を熱カシメして固定する。そして、このコイルスプリング５５と摺動子６０を取り付けた摺動型物５０を、下ケース４０の収納部４３に収納する。この際、下ケース４０の当接部４９ｃ，４９ｄをそれぞれ摺動型物５０の切込部５７ｃ，５７ｄ内に挿入することで、当接部４９ｃ，４９ｄをコイルスプリング５５の両端部５５ｃ，５５ｄに当接させた状態にする。また、摺動型物５０の突出部５８の根元部分を、下ケース４０の切欠部４５の下側に配置して、突出部５８の先端を切欠部４５から下ケース４０の外側に突出させて、被係合部５９を側壁４２ａの外側に配置する。またこのとき、もう一方の被係合部５３が、下ケース４０の開口部４６から露出した状態になる。この状態で、取付部材８０の上面にフレキシブル回路基板７０を重ね合わせたものを、下ケース４０の下面（側壁４２ａ〜４２ｄの下端面）に取り付ける。この際、下ケース４０の固定部４４ａ，４４ｂをフレキシブル回路基板７０の取付固定部７２と取付部材８０の取付固定部８２に挿通させて、取付部材８０の下面側に突出した固定部４４ａ，４４ｂを、それぞれ取付部材８０の内側に向けて折り曲げることで、これら各部材を一体に固定する。以上によりスイッチ機能部２の組み立てが完了する。
【００２６】
そして、上記手順によりあらかじめ組み立てたスイッチ操作部１の操作つまみ１０の係合爪２５ａ，２５ｂの先端部２８ａ，２８ｂを、スイッチ機能部２の摺動型物５０の被係合部５９，５３に係合させて取り付ける。図５は、この手順を説明するための概略側断面図である。この取り付けは、スイッチ操作部１のケース３０に、スイッチ機能部２の取付部材８０を取り付けることで行われる。即ち、ケース３０内にスイッチ機能部２を収納し、これを貫通穴３１ａ，３１ｂの下側に配置する際に、スイッチ機能部２の取付部材８０を、その図示しない位置でスイッチ操作部１のケース３０に対して固定する。それと同時に、ケース３０の下面に突出する係合爪２５ａ，２５ｂの先端部２８ａ，２８ｂが、摺動型物５０の被係合部５９，５３内に挿入される。ここでは、上記したように係合爪２５ａ，２５ｂの幅寸法Ｌ´と被係合部５９，５３の幅寸法Ｌとが略同一の寸法に形成されているので、スライド方向において係合爪２５ａ，２５ｂの先端部２８ａ，２８ｂが被係合部５９，５３内に固く係合し、操作つまみ１０と摺動型物５０がケース３０を介してその上下で一体に固定される。以上によりスライド式スイッチの組み立てが完了する。
【００２７】
図６は、組み立てたスライド式スイッチの構成を示す概略側断面図である。同図に示すようにこのスライド式スイッチは、操作つまみ１０に設けた係合爪２５ａ，２５ｂを、ケース３０の貫通穴３１ａ，３１ｂに挿入してケース３０の下面にスナップイン係合することで、係合爪２５ａ，２５ｂの先端部２８ａ，２８ｂをケース３０の下面から突出させた状態で、操作つまみ１０をケース３０にスライド移動自在に取り付けると共に、ケース３０の下面から突出した係合爪２５ａ，２５ｂの先端部２８ａ，２８ｂを、摺動型物５０に設けた被係合部５９，５３に係合させることで、摺動型物５０と操作つまみ１０をケース３０の貫通穴３１ａ，３１ｂを介して一体にスライド移動自在に取り付けて構成されている。またこのスライド式スイッチでは、下ケース４０内にスライド移動自在に収納された摺動型物５０に取り付けた摺動子６０と、フレキシブル回路基板７０上に形成されたスイッチパターン７１とで、摺動型物５０のスライド移動により電気的出力が変化する電気的機能部１００が構成されている。
【００２８】
図７はこのスライド式スイッチのスイッチ操作部１の概略平面図である。同図を参照してスライド式スイッチの動作を説明する。まず、操作つまみ１０を操作していない状態では、図７に示すように、操作つまみ１０は収納溝３３のスライド方向の中央に位置すると共に、図２に示す摺動型物５０が下ケース４０の収納部４３の略中央に位置し、コイルスプリング５５の両端部５５ｃ，５５ｄがそれぞれ下ケース４０の当接部４９ｃ，４９ｄに当接している。このときの操作つまみ１０と摺動型物５０の位置を中立位置とする。この中立位置から、操作つまみ１０をスライド方向のいずれか一方に向かって動かすと、図１に示すスペーサ部材２１の下面２１ｃと収納溝３３の底面３３ａとが摺接しながら、操作つまみ１０と摺動型物５０が一体にスライド移動して、摺動子６０の摺動冊子６２がスイッチパターン７１上を摺接してスイッチのオンオフ出力が変化する。またこのとき、コイルスプリング５５が、下ケース４０のいずれか一方の当接部４９ｃ又は４９ｄとこれに対向する摺動型物５０のいずれか一方の係止部５６ｄ又は５６ｃとに挟まれて圧縮され、摺動型物５０に中立位置への復帰力が生じる。したがって、操作つまみ１０を操作する力を取り除くと、コイルスプリング５５が元の形状に復帰することで摺動型物５０が中立位置に自動復帰し、スイッチのオンオフ出力が元の状態に戻る。
【００２９】
一方、操作つまみ１０を中立位置からスライド方向の他方に向かって動かすと、この場合もスペーサ部材２１の下面２１ｃと収納溝３３の底面３３ａとが摺接しながら、操作つまみ１０と摺動型物５０が一体にスライド移動し、摺動子６０の摺動冊子６２がスイッチパターン７１上を摺接してスイッチのオンオフ出力が変化する。またこのとき、下ケース４０の当接部４９ｃ又は４９ｄとこれに対向する摺動型物５０の係止部５６ｄ又は５６ｃとの間に挟まれたコイルスプリング５５が圧縮されるので、操作つまみ１０を操作する力を取り除くと摺動型物５０が中立位置に自動復帰し、スイッチのオンオフ出力が元の状態に戻る。
【００３０】
上記のようにこのスライド式スイッチでは、操作つまみ１０の本体部１１をＡＢＳ樹脂製にしたので、操作つまみ１０の外部から見える部分の成形や塗装が容易でデザインの自由度が高くなり、また傷などが付きにくいので外観を良好に保てる。さらに、操作つまみ１０の本体部１１とケース３０とを同じＡＢＳ樹脂製にしたので、これらのデザインに統一性を持たせることができる。そしてその一方で、スペーサ部材２１をＰＯＭ樹脂製にしたことで、本体部１１が直接ケース３０に摺接する場合よりも摩擦係数を小さくできるので、操作つまみ１０のケース３０に対する摺動性を良好にでき、操作つまみ１０の滑らかな動作を確保することが可能となる。
【００３１】
また、図７に示すように、操作つまみ１０に設けた移動規制部２３ａ，２３ｂの先端をケース３０の収納溝３３のスライド方向に向かう側面３４ａ，３４ｂに当接させて、操作つまみ１０のスライド方向に略直交する方向への移動を規制しているので、操作つまみ１０や摺動型物５０がスライド移動する際に、これらにガタつきがなくスムーズに操作することが可能となる。また、スライド式スイッチを振動させた際に、操作つまみ１０がスライド方向に直交する方向に向かって回転するように移動して操作つまみ１０の側面２１ａ，２１ｂが収納溝３３の側面３４ａ，３４ｂに接触したり、図２に示す摺動型物５０の側面５１ａ，５１ｂが下ケース４０の側壁４２ａ，４２ｂの内面に接触したりするおそれがないので、中立位置において操作つまみ１０や摺動型物５０がガタつかずに済む。したがって、簡単な構成で部品点数を増加させずに、操作性が良好で且つ振動させた際に接触音が発生しないスライド式スイッチを構成できる。なお、スペーサ部材２１は摺動性の良いＰＯＭ樹脂製なので、移動規制部２３ａ，２３ｂの先端が側面３４ａ，３４ｂに滑らかに摺接し、移動規制部２３ａ，２３ｂにより操作つまみ１０の動きが妨げられることはない。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、操作つまみ１０の本体部１１とスペーサ部材２１に用いる成形樹脂材の種類は、上記の実施形態に示すものには限定されず、これ以外にもスペーサ部材２１に用いる成形樹脂材としては、摺動性が良好な成形樹脂材であればよく、例えばポリテトラフルオロエチレン（ＰＴＦＥ）樹脂や超高分子量ポリエチレン等を用いても良いし、あるいは適当な材料で形成したスペーサ部材２１の表面にＰＴＦＥ樹脂等をコーティングした構造としても良い。また、ケース３０や操作つまみ１０の本体部１１に用いる成形樹脂材は、成形や塗装が容易で適度な硬度があり外観が良好な成形樹脂材であれば、ＡＢＳ樹脂材の他にも、その目的に応じて例えば、ポリアミド（ＰＡ）樹脂、ポリカーボネイト（ＰＣ）樹脂、アクリル（ＰＭＭＡ）樹脂などからなる樹脂材を用いることもできる。
【００３３】
また、上記実施形態で示した操作つまみ１０のケース３０や摺動型物５０への取付構造は一例であり、操作つまみ１０は、ケース３０にスライド移動自在に取り付けられていれば、他の取付構造であっても良く、例えば、操作つまみ１０をケース３０に直接取り付けずに、ケース３０の貫通穴を介してその下面側に設置した摺動型物５０に取り付けることで、ケース３０の上面に載置した状態で設置することも可能である。
【００３４】
また、上記実施形態では、スライド式電子部品として、スイッチパターン７１上を摺動冊子６２が摺接する構成の電気的機能部を備えたスライド式スイッチを説明したが、スライド式電子部品の構成はこれに限定されず、その他にも例えば、抵抗体パターン上を摺動冊子６２が摺接する構成の電気的機能部を備えたスライド式可変抵抗器などとすることも可能である。
【図面の簡単な説明】
【００３５】
【図１】本発明の一実施形態にかかる操作つまみを備えたスライド式電子部品の分解斜視図（上側）である。
【図２】本発明の一実施形態にかかる操作つまみを備えたスライド式電子部品の分解斜視図（下側）である。
【図３】スペーサ部材２１をその下面側から見た斜視図である。
【図４】操作つまみ１０を取り付けたケース３０をその下面側から見た斜視図である。
【図５】スライド式電子部品の組み立て方法を説明するための図である。
【図６】スライド式電子部品の概略側断面図である。
【図７】スライド式電子部品の操作つまみ１０とケース３０の平面図である。
【符号の説明】
【００３６】
１              スイッチ操作部
２              スイッチ機能部
１０            操作つまみ
１１            本体部
２１            スペーサ部材
２１ｃ          下面
２３ａ，２３ｂ  移動規制部
２５ａ，２５ｂ  係合爪
３０            ケース（外装ケース）
３１ａ，３１ｂ  貫通穴
３３            収納溝
３３ａ          底面
３４ａ，３４ｂ  側面
４０            下ケース
４３            収納部
５０            摺動型物
５３            被係合部
５４            コイルスプリング収納部
５５            コイルスプリング
５８            突出部
５９            被係合部
６０            摺動子
７０            フレキシブル回路基板
７１            スイッチパターン
８０            取付部材
【図１】
2007088119.tif 000003
【図２】
2007088119.tif 000004
【図３】
2007088119.tif 000005
【図４】
2007088119.tif 000006
【図５】
2007088119.tif 000007
【図６】
2007088119.tif 000008
【図７】
2007088119.tif 000009